(57)【要約】【課題】ガイド体とケーブル類の接触を防止して電気ケーブル等の断線やショートおよび空気ホース等からの洩れが生じる懸念を払拭することができるケーブル案内装置を提供する。【解決手段】ガイド体を連結して形成された固定端と移動端とを有する屈曲案内路を備え、固定端と移動端との間にケーブル類を収納して移動端を往復移動させるケーブル類案内装置において、ガイド体の内側にケーブル類をガイド体の内面に接触しない状態で保持する保持部を有するケーブル類保持体を設ける。【選択図】        図２
2006094665.tif 000002
【特許請求の範囲】
【請求項１】
ガイド体と、該ガイド体を連結して形成された固定端と移動端とを有する屈曲案内路とを備え、前記固定端と移動端との間にケーブル類を収納して移動端を往復移動させるケーブル類案内装置において、
前記ガイド体の内側に、前記ケーブル類を前記ガイド体の内面に接触しない状態で保持する保持部を有するケーブル類保持体を設けたことを特徴とするケーブル類案内装置。
【請求項２】
請求項１において、
前記ケーブル類保持体が、前記ガイド体に固定されていることを特徴とするケーブル類案内装置。
【請求項３】
請求項１または請求項２において、
前記ケーブル類保持体が、ケーブル類を一本ずつに分離して保持することを特徴とするケーブル類案内装置。
【請求項４】
請求項１、請求項２または請求項３において、
前記ケーブル類保持体が、弾性体で形成されていることを特徴とするケーブル類案内装置。
【発明の詳細な説明】
【技術分野】
【０００１】
本発明は、屈曲案内路の固定端と移動端との間にケーブル類を収納して移動端を往復移動させるケーブル類案内装置に関する。
【背景技術】
【０００２】
従来のケーブル類案内装置は、ガイド体に設けた可撓性の連結杆によりガイド体を連結して固定端と移動端を有する屈曲案内路を形成し、屈曲案内路の内部に電気ケーブルや信号ケーブル、空気ホース、油圧ホース等のケーブル類を収納して移動端を往復移動させ、連結杆の可撓性を利用して屈曲案内路の屈曲に伴う粉塵の発生を防止している（例えば、特許文献１参照。）。
【特許文献１】特開２００３−２９９２３８号公報（第３頁段落００１０−段落００１８、第１図）
【発明の開示】
【発明が解決しようとする課題】
【０００３】
しかしながら、上述した従来の技術においては、単に屈曲案内路にケーブル類を収納して移動端を往復移動させているため、屈曲案内路の移動により収納されているケーブル類とガイド体との接触部が擦れて電気ケーブル等の被覆や空気ホース等の表面に摩耗が生じ、摩耗に伴う摩耗紛の飛散により作業環境が悪化するという問題がある。
また、摩耗が進行すると電気ケーブル等の断線やショートおよび空気ホース等からの洩れの発生が懸念される。
【０００４】
このことは、ケーブル類同士の接触部においても同様である。
本発明は、上記の問題点を解決するためになされたもので、ガイド体とケーブル類の接触を防止して電気ケーブル等の断線やショートおよび空気ホース等からの洩れが生じる懸念を払拭する手段を提供することを目的とする。
【課題を解決するための手段】
【０００５】
本発明は、上記課題を解決するために、ガイド体と、該ガイド体を連結して形成された固定端と移動端とを有する屈曲案内路とを備え、前記固定端と移動端との間にケーブル類を収納して移動端を往復移動させるケーブル類案内装置において、前記ガイド体の内側に、前記ケーブル類を前記ガイド体の内面に接触しない状態で保持する保持部を有するケーブル類保持体を設けたことを特徴とする。
【発明の効果】
【０００６】
これにより、本発明は、ケーブル類をガイド体から離した状態で屈曲案内路の内部に保持することができ、ガイド体とケーブル類の擦れに伴う摩耗や摩耗紛の飛散を防止して作業環境を清浄に保つことができると共に、電気ケーブル等の断線やショートおよび空気ホース等からの洩れを確実に防止することができるという効果が得られる。
【発明を実施するための最良の形態】
【０００７】
以下に、図面を参照して本発明によるケーブル類案内装置の実施例について説明する。
【実施例１】
【０００８】
図１は実施例１のケーブル類案内装置の固定端近傍を示す上面図、図２は図１のＡ−Ａ断面図、図３は実施例１のケーブル類保持体を示す正面図である。
図１、図２において、１はケーブル類案内装置である。
２はガイド体であり、樹脂材料等により製作され、移動方向に段違いに形成された両方の側面板３の移動方向の略中央部で側面板３を架橋するガイド板４が形成された略コの字状部材であって、側面板３の一方の端部の両側面の外側には凸部５が設けられ、他方の端部の両側面には凸部５が嵌合する嵌合穴６が設けられている。
【０００９】
７はアームであり、樹脂材料等により製作された板状部材であって、両端部に設けられた嵌め込み部により側面板３を架橋するガイド板４と対向する位置に着脱自在に装着される。
上記の両方の側面板３、ガイド板４、アーム７によりガイド体２には略四角形の空間が形成され、この空間にケーブル類８が収納される。
【００１０】
９は屈曲案内路であり、隣り合うガイド体２の凸部５と嵌合穴６とを嵌合して連結した複数のガイド体２の組立体であって、固定端１０に設けられたボルト穴１１により図示しない装置本体等に固定される。
屈曲案内路９の固定端１０の反対側には固定端１０と同様の図示しない移動端が設けられており、これが図示しない移動台等に固定され、移動台の往復移動に伴って複数のガイド体２の凸部５と嵌合穴６による連結部の一部が屈曲して屈曲案内路９の一部を湾曲させ、移動台の往復運動に伴ってその移動方向に湾曲部を移動させて屈曲案内路９を移動方向に伸縮させる。
【００１１】
図３において、１５はケーブル類保持体であり、ニトリルゴム、フッ素ゴム、シリコンゴム、ウレタンゴム等の樹脂材料等の比較的弾性に富んだ弾性体で製作された複数の保持部としてのリング部１６を接続した連鎖リング状部材であって、その長手方向の両端部には係止部１７が設けられており、係止部１７に設けた突起部１８を側面板３に設けた係合穴１９に係合してガイド体２の内側に固定される。
【００１２】
なお、ケーブル類保持体１５のガイド体２への固定は、突起部１８および係合穴１９を設けずに係止部１７を側面板３に接着することにより固定するようにしてもよい。
ケーブル類保持体１５のリング部１６の内径は、そのリングに挿入されるケーブル類８の外径以下に形成されており、挿入されたケーブル類８は弾性体であるリング部１６の弾性により締付けられて保持され、ケーブル類８の互いの接触およびケーブル類８と側面板３やガイド板４、アーム７との接触が防止される。本実施例のケーブル類保持体１５には図２に示すように比較的大きな内径を有するリング部１６ａ、比較的小さな内径を有するリング部１６ｂおよびリング部１６ａ、１６ｂの中間の内径を有するリング部１６ｃが形成されている。
【００１３】
上記の構成の作用について説明する。
ケーブル類案内装置１を組立てるときは、複数のケーブル類保持体１５の各リング部１６にそれぞれの内径に適合したケーブル類８を挿入して複数のケーブル類８を一体にし、予めガイド体２を連結して組立てた屈曲案内路９の各ガイド体２の側面板３の係合穴１９に各ケーブル類保持体１５の係止部１７の突起部１８を係合させて固定し、屈曲案内路９の各ガイド体２の側面板３の間に一体にしたケーブル類８を配置する。
【００１４】
そして、アーム７を各ガイド体２に装着して屈曲案内路９の内部にケーブル類８を収納し、図示しない装置本体等に屈曲案内路９を図示しない移動台等と反対側に向けて固定端１０をボルト等により締結して固定し、屈曲案内路９を湾曲させて移動台等に図示しない移動端を固定端１０と同様にして固定し、ケーブル類８としての電気ケーブル等および空気ホース等をそれぞれの所定の部位に結線および接続してケーブル類案内装置１を装置等に設置する。
【００１５】
このようにして設置したケーブル類案内装置１は、その屈曲案内路９にケーブル類８が弾性を有するケーブル類保持体１５により互いの接触およびガイド体２の内面を形成する両方の側面板３とガイド板４およびアーム７との接触がないようにそれらから離した状態で保持されているので、屈曲案内路９の湾曲部においてケーブル類保持体１５自身がその弾性により変形し、ケーブル類８の湾曲に伴う配線経路および配管経路の長さの変化を吸収し、屈曲案内路９の湾曲する部位が移動台の移動に伴って移動しても屈曲案内路９におけるケーブル８同士およびガイド体２とケーブル類８との接触による擦れやケーブル類８と各リング部１６との取付部に擦れが生じることがない。
【００１６】
以上説明したように、本実施例では、ガイド体にケーブル類を保持する保持部としてのリング部を有するケーブル類保持体を設けるようにしたことによって、ケーブル類をガイド体２の内面から離した状態で屈曲案内路の内部に保持することができ、ガイド体とケーブル類の擦れに伴う摩耗や摩耗紛の飛散を防止して作業環境を清浄に保つことができると共に、電気ケーブル等の断線やショートおよび空気ホース等からの洩れを確実に防止することができる他、ガイド体とケーブル類の擦れに伴う騒音をも防止することができる。
【００１７】
また、ケーブル類保持体をガイド体に固定するようにしたことによって、保持体のがたつきに伴う騒音を防止することができる。
更に、ケーブル類保持体を弾性体により形成するようにしたことによって、ケーブル類の湾曲に伴う配線経路等の長さの変化を吸収することができ、屈曲案内路の湾曲する部位が移動してもガイド体とケーブル類の接触を防止することができる。
【００１８】
上記に加えて、ケーブル類保持体のリング部によりケーブル類を一本ずつに分離して保持するようにしたことによって、ケーブル類同士の接触を確実に防止することができ、ケーブル類の擦れに伴う摩耗や摩耗紛の飛散を防止することができる他、ケーブル類同士の擦れに伴う騒音をも防止することができる。
これに加えて、弾性体で形成したケーブル類保持体を用いることによって、屈曲案内路の湾曲する部位が移動するときのケーブル類と各リング部との取付部に生ずる擦れを防止してその効果を更に高めることができる。
【実施例２】
【００１９】
図４は実施例２のケーブル類保持体を示す正面図、図５は実施例２の固縛帯を示す側面図、図６は実施例２の屈曲案内路を示す断面図である。
なお、図６は実施例２の屈曲案内路の上記実施例１の図２と同様のＡ−Ａ断面線の断面図である。また上記実施例１と同様の部分は同一の符号を付してその説明を省略する。
図４、図６において、２１はケーブル類保持体であり、実施例１と同様の弾性体で製作され、一つの輪状に形成された保持部としての輪状部材２１ａを有している。
【００２０】
また、ケーブル類保持体２１の輪状部材２１ａの両側には、実施例１と同様の突起部１８を有する係止部１７が設けられており、突起部１８が側面板３に設けられた係合穴１９に係合してガイド体２の内側に固定される。
図５において、２２は固縛帯であり、樹脂材料等により製作された細い帯状部材であって、その一端に設けられた係合部２３が他端に設けられた係合穴２４にその弾性により嵌め込まれ、輪状となった部位でそこに包み込んだ部材を締付けて固縛する。
【００２１】
本実施例のケーブル類案内装置１を組立てるときは、複数のケーブル類保持体２１に一つの輪として形成された輪の内部に各種の外径を有するケーブル類８をコネクタ等を接続した状態で挿入し、各ケーブル類８の間を固縛帯２２で固縛することにより複数のケーブル類８を一体にし、上記実施例１と同様にして屈曲案内路９の各ガイド体２の側面板３の間に一体にしたケーブル類８を配置し、アーム７を各ガイド体２に装着して屈曲案内路９の内部にケーブル類８を収納してケーブル類案内装置１を組立てた後に、実施例１と同様にしてケーブル類案内装置１を図示しない装置等に設置する。
【００２２】
このようにして設置したケーブル類案内装置１は、その屈曲案内路９にケーブル類８が弾性を有するケーブル類保持体２１の保持部としての輪状部材２１ａによりガイド体２の内面との接触がないようにそれらから離した状態で保持されると共に、固縛帯２２によりケーブル類８が一本ずつに分離されて固定されているので、屈曲案内路９の湾曲部においてケーブル類保持体２１自身がその弾性により変形し、ケーブル類８の湾曲に伴う配線経路および配管経路の長さの変化を吸収し、屈曲案内路９の湾曲する部位が移動台の移動に伴って移動しても屈曲案内路９におけるケーブル８同士およびガイド体２とケーブル類８との接触による擦れやケーブル類８とケーブル類保持体２１の固縛帯２２による取付部に擦れが生じることがない。
【００２３】
以上説明したように、本実施例では、上記実施例１と同様の効果に加えて、一つの輪として形成されたケーブル類保持体の内部に挿入したケーブル類を固縛帯により一本ずつに分離して固定するようにしたことによって、ケーブル類の外径を区別することなくケーブル類にコネクタ等を取付けたまま挿入することができ、ケーブル類の屈曲案内路への収納を容易にしてケーブル類案内装置の組立性を向上させることができると共に、組立作業時間を短縮して組立作業の効率化を図ることができる。
【００２４】
また、ケーブル類保持体の輪の内部に固縛帯によりケーブル類を一本ずつに分離して保持するようにしたことによって、上記実施例１と同様にケーブル類同士の接触を確実に防止することができ、ケーブル類の擦れに伴う摩耗や摩耗紛の飛散を防止することができる他、ケーブル類同士の擦れに伴う騒音をも防止することができる。
これに加えて、弾性体で形成したケーブル類保持体を用いることによって、屈曲案内路の湾曲する部位が移動するときのケーブル類とケーブル類保持体との取付部に生ずる擦れを防止してその効果を更に高めることができる。
【実施例３】
【００２５】
図７は実施例３のケーブル類保持体を示す正面図、図８は実施例３の屈曲案内路を示す断面図である。
なお、図８は実施例３の屈曲案内路の上記実施例１の図２と同様のＡ−Ａ断面線の断面図である。また上記実施例１と同様の部分は同一の符号を付してその説明を省略する。
図７、図８において、３１はケーブル類保持体であり、実施例１と同様の弾性体で製作された保持部としてのリング部３２を有するリング状部材であって、リング部３２の両側に係止腕部３３が設けられ、その係止腕部３３の先端部には突起部３４とストッパ部３５が形成されており、突起部３４がガイド体２のガイド板４およびアーム７に設けられた係合穴３６に係合してガイド体２の内側に固定される。
【００２６】
３７は結合部であり、リング部３２の一部を切り離して形成される一方の端部にもうけられた係止溝に、他方の端部に設けられたフックを弾性体の弾性を利用してスナップオン式に嵌め込んで結合され、リング部３２に挿入されたケーブル類８を締付けて固定する機能を有している。
ケーブル類保持体３１のリング部３２の内径は、そのリング部に挿入されるケーブル類８の外径以下に形成され、本実施例では図８に示すように比較的大きな内径のリング部３２ａ、比較的小さな内径のリング部３２ｂおよびリング部３２ａ、３２ｂの中間の内径のリング部３２ｃを有する３種類のケーブル類保持体３１が用意されている。
【００２７】
本実施例のケーブル類案内装置１を組立てるときは、複数のケーブル類８にそれぞれの外径に適合したリング部３２を有するケーブル類保持体３１をその結合部３７を開放して嵌め込んだ後に結合部３７を結合して各ケーブル類８の所定の部位にケーブル類保持体３１を配置して装着し、予めガイド体２を連結して組立てた屈曲案内路９の各ガイド体２のガイド板４の係合穴３６に、各ケーブル類保持体３１の係止腕部３３の突起部３４を係合させてストッパ部３５により位置決めして固定し、屈曲案内路９の各ガイド体２の側面板３の間にケーブル類８を配置した後に、アーム７の係合穴３６に係止腕部３３の突起部３４を係合させながら各ガイド体２に装着して屈曲案内路９の内部にケーブル類８を収納する。この時ストッパ部３５がアーム７に当接してケーブル類保持体３１をガイド板４とアーム７との間に位置決めして固定する。
【００２８】
このようにして組立てられたケーブル類案内装置１は、実施例１と同様にしてを図示しない装置等に設置される。
前記のようにして設置したケーブル類案内装置１は、その屈曲案内路９にケーブル類８が弾性を有するケーブル類保持体３１により互いの接触およびガイド体２の内面との接触がないようにそれらから離した状態で保持されているので、屈曲案内路９の湾曲部においてケーブル類保持体３１自身がその弾性により変形し、ケーブル類８の湾曲に伴う配線経路および配管経路の長さの変化を吸収し、屈曲案内路９の湾曲する部位が移動台の移動に伴って移動しても屈曲案内路９におけるケーブル類８同士およびガイド体２とケーブル類８との接触による擦れやケーブル類８と各リング部３２との取付部に擦れが生じることがない。
【００２９】
また、リング部３２に結合部を設けてケーブル類を嵌め込んだ後にケーブル類を締付けて固定するようにしたので、一旦ケーブル類を屈曲案内路に収納した後にケーブル類の追加または取外しが容易となる。
なお、リング部３２に設けた結合部３７を上記実施例１で説明したリング部１６のそれぞれのアーム７側に設ければ、上記と同様に一旦ケーブル類８を屈曲案内路９に収納した後にケーブル類８の追加または取外しが容易となると共にケーブル類８の収納時にケーブル類にコネクタを取付けた状態で容易にケーブル類８の屈曲案内路９へ収納することができ、ケーブル案内装置１の組立作業の効率化を図ることができる。
【００３０】
以上説明したように、本実施例では、上記実施例１と同様の効果に加えて、ケーブル類保持体の保持部としてのリング部に結合部によりケーブル類を締付けてガイド板やアームに設けたそれぞれの係合穴に係合して一本ずつに分離して固定するようにしたことによって、ケーブル類にコネクタ等を取付けたままケーブル類保持体を装着することができ、ケーブル類へのケーブル類保持体の装着を容易にしてケーブル類案内装置の組立性を向上させることができると共に、組立作業時間を短縮して組立作業の効率化を図ることができる他、一旦ケーブル類を屈曲案内路に収納した後のケーブル類の追加または取外しが容易となり、屈曲案内路に収納したケーブル類の保守や点検を容易に行うことができる。
【００３１】
また、一つのリング部を有するケーブル類保持体に結合部によりケーブル類を締付けてガイド板とアームの間に位置決めした状態で一本ずつに分離して保持するようにしたことによって、上記実施例１と同様にケーブル類同士の接触を確実に防止することができ、ケーブル類の擦れに伴う摩耗や摩耗紛の飛散を防止することができる他、ケーブル類同士の擦れに伴う騒音をも防止することができる。
【００３２】
これに加えて、弾性体で形成したケーブル類保持体を用いることによって、屈曲案内路の湾曲する部位が移動するときのケーブル類とケーブル類保持体のリング部との取付部に生ずる擦れを防止してその効果を更に高めることができる。
なお、上記各実施例おいては、ケーブル類案内装置に収納したケーブル類からの発塵を防止する手段について説明したが、屈曲案内路を形成する各ガイド部の連結部をその発塵を防止することができる連結部として本発明のケーブル類保持体を適用すればクリーンルーム等の清浄性が特に要求される場所に設置される装置のケーブル類案内装置として好適なものとすることができる。
【図面の簡単な説明】
【００３３】
【図１】実施例１のケーブル類案内装置の固定端近傍を示す上面図
【図２】図１のＡ−Ａ断面図
【図３】実施例１のケーブル類保持体を示す正面図
【図４】実施例２のケーブル類保持体を示す正面図
【図５】実施例２の固縛帯を示す側面図
【図６】実施例２の屈曲案内路を示す断面図
【図７】実施例３のケーブル類保持体を示す正面図
【図８】実施例３の屈曲案内路を示す断面図
【符号の説明】
【００３４】
１    ケーブル類案内装置
２    ガイド体
３    側面板
４    ガイド板
５    凸部
６    嵌合穴
７    アーム
８    ケーブル類
９    屈曲案内路
１０  固定端
１１  ボルト穴
１５、２１、３１  ケーブル類保持体
１６、３２  リング部
１７  係止部
１８、３４  突起部
１９、２４、３６  係合穴
２１ａ  輪状部材
２２  固縛帯
２３  係合部
３３  係止腕部
３５  ストッパ部
３７  結合部
【図１】
2006094665.tif 000003
【図２】
2006094665.tif 000004
【図３】
2006094665.tif 000005
【図４】
2006094665.tif 000006
【図５】
2006094665.tif 000007
【図６】
2006094665.tif 000008
【図７】
2006094665.tif 000009
【図８】
2006094665.tif 000010